【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
フェノール化合物を、酸触媒の存在下ｐＨ７未満で、脂肪族ポリオール及びアルデヒドと反応させることによって得られる、変性フェノールノボラック樹脂であって、前記フェノール化合物が式（Ｉ）で表わされる、前記変性フェノールノボラック樹脂：
【化１】
2008514761.tif 000001
（式中、Ｒ２はＯＨであり、Ｒ１、Ｒ３、Ｒ４及びＲ５のそれぞれは独立に、Ｈ、ヒドロキシル、チオール、アミド、ハロゲン、シアノ、ニトロ、アミノ、アシル、アルキル、ヘテロアルキル、シクロアルキル、ヘテロシクロアルキル、アリール、ヘテロアリール、アラルキル、アルケニル、アルキニル、アルコキシ、アリールオキシ、アシルオキシ、アシルアミノ、アルコキシカルボニル又は環の一部（Ｒ１、Ｒ２、Ｒ３、Ｒ４及びＲ５のうちの２つが一緒になって該環を形成する、但し、Ｒ１、Ｒ２、Ｒ３、Ｒ４及びＲ５のうちの少なくとも２つがＨであることを条件とする。）である。）。
【請求項２】
前記アルデヒドと前記フェノール化合物のモル比が０．９：１未満である、請求項１記載の変性フェノールノボラック樹脂。
【請求項３】
前記アルデヒドと前記フェノール化合物のモル比が０．８：１未満である、請求項１記載の変性フェノールノボラック樹脂。
【請求項４】
前記アルデヒドと前記フェノール化合物のモル比が約０．２：１〜約０．５：１である、請求項１記載の変性フェノールノボラック樹脂。
【請求項５】
前記酸触媒が、ベンゼンスルホン酸、ベンゼン−１，２−ジスルホン酸、ベンゼン−１，３−ジスルホン酸、ベンゼン−１，４−ジスルホン酸、ｐ−トルエンスルホン酸、キシレンスルホン酸、２，４，６−トリメチルベンゼンスルホン酸、シュウ酸、メタンスルホン酸、４−クロロベンゼンスルホン酸及びその組合せからなる群から選択される、請求項１記載の変性フェノールノボラック樹脂。
【請求項６】
ｐＨが４未満である、請求項１記載の変性フェノールノボラック樹脂。
【請求項７】
前記脂肪族ポリオールが、２，４−ペンタンジオール、２，３−ペンタンジオール、２−メチル−２，４−ペンタンジオール、２，４−ジメチル−２，４−ペンタンジオール及び２，４，４−トリメチル−２，３−ペンタンジオールからなる群から選択される、請求項１記載の変性フェノールノボラック樹脂。
【請求項８】
前記アルデヒドが、ホルムアルデヒド、アセトアルデヒド、プロピオンアルデヒド、ブチルアルデヒド、イソブチルアルデヒド、ｎ−バレルアルデヒド、ベンズアルデヒド、クロトンアルデヒド、桂皮アルデヒド、グリオキサール、グルタルアルデヒド、フルフラール、フェニルアセトアルデヒド、クロラール、クロロアセトアルデヒド、ジクロロアセトアルデヒド、ラウリルアルデヒド、パルミチルアルデヒド、ステアリルアルデヒド又はそれらの組合せである、請求項１記載の変性フェノールノボラック樹脂。
【請求項９】
前記アルデヒドがホルムアルデヒドであり、前記フェノール化合物がレゾルシノールであり、かつ前記ポリオールが２−メチル−２，４−ペンタンジオールである、請求項１記載の変性フェノールノボラック樹脂。
【請求項１０】
前記変性フェノールノボラック樹脂が５重量％未満の遊離レゾルシノール含量を有する、請求項９記載の変性フェノールノボラック樹脂。
【請求項１１】
前記変性フェノールノボラック樹脂が約１００℃〜約１２０℃の軟化点を有する、請求項９記載の変性フェノールノボラック樹脂。
【請求項１２】
（ａ）天然ゴム、合成ゴム又はそれらの組合せから選択されるゴム成分と、（ｂ）加熱するとホルムアルデヒドを生成するメチレン供与化合物と、（ｃ）フェノール化合物を、酸触媒の存在下ｐＨ７未満で、脂肪族ポリオール及びアルデヒドと反応させることによって得られる変性フェノールノボラック樹脂を含むメチレン受容体化合物とを含む、加硫可能なゴム組成物。
【請求項１３】
前記アルデヒドと前記フェノール化合物のモル比が０．９：１未満である、請求項１２記載の加硫可能なゴム組成物。
【請求項１４】
ｐＨが４未満である、請求項１２記載の加硫可能なゴム組成物。
【請求項１５】
前記フェノール化合物が非置換レゾルシノール又は置換レゾルシノールである、請求項１２記載の加硫可能なゴム組成物。
【請求項１６】
前記脂肪族ポリオールが、２，４−ペンタンジオール、２，３−ペンタンジオール、２−メチル−２，４−ペンタンジオール、２，４−ジメチル−２，４−ペンタンジオール及び２，４，４−トリメチル−２，３−ペンタンジオールからなる群から選択される、請求項１２記載の加硫可能なゴム組成物。
【請求項１７】
前記アルデヒドが、ホルムアルデヒド、アセトアルデヒド、プロピオンアルデヒド、ブチルアルデヒド、イソブチルアルデヒド、ｎ−バレルアルデヒド、ベンズアルデヒド、クロトンアルデヒド、桂皮アルデヒド、グリオキサール、グルタルアルデヒド、フルフラール、フェニルアセトアルデヒド、クロラール、クロロアセトアルデヒド、ジクロロアセトアルデヒド、ラウリルアルデヒド、パルミチルアルデヒド、ステアリルアルデヒド又はそれらの組合せである、請求項１２記載の加硫可能なゴム組成物。
【請求項１８】
前記メチレン供与体がパラホルムアルデヒド、ヘキサメチレンテトラミン、メチロールメラミン、エーテル化メチロールメラミン及びエステル化メチロールメラミンからなる群から選択される、請求項１２記載の加硫可能なゴム組成物。
【請求項１９】
前記加硫可能なゴム組成物が、加硫剤、促進剤、強化材、カーボンブラック、コバルト塩、ステアリン酸、シリカ、酸化亜鉛、充てん剤、可塑剤、ワックス、加工用オイル、遅延剤、オゾン劣化防止剤又はそれらの組合せをさらに含む、請求項１２記載の加硫可能なゴム組成物。
【請求項２０】
フェノール化合物を、酸触媒の存在下ｐＨ７未満で、脂肪族ポリオール及びアルデヒドと反応させるステップを含む、変性フェノールノボラック樹脂の製造方法であって、前記フェノール化合物が式（Ｉ）で表わされる、前記方法：
【化２】
2008514761.tif 000002
（式中、Ｒ２はＯＨであり、Ｒ１、Ｒ３、Ｒ４及びＲ５のそれぞれは独立に、Ｈ、ヒドロキシル、チオール、アミド、ハロゲン、シアノ、ニトロ、アミノ、アシル、アルキル、ヘテロアルキル、シクロアルキル、ヘテロシクロアルキル、アリール、ヘテロアリール、アラルキル、アルケニル、アルキニル、アルコキシ、アリールオキシ、アシルオキシ、アシルアミノ、アルコキシカルボニル又は環の一部（Ｒ１、Ｒ２、Ｒ３、Ｒ４及びＲ５のうちの２つが一緒になって該環を形成する、但し、Ｒ１、Ｒ２、Ｒ３、Ｒ４及びＲ５のうちの少なくとも２つがＨであることを条件とする。）である。）。
【請求項２１】
前記アルデヒドと前記フェノール化合物のモル比が０．９：１未満である、請求項２０記載の方法。
【請求項２２】
ｐＨが４未満である、請求項２０記載の方法。
【請求項２３】
前記酸触媒が、ベンゼンスルホン酸、ベンゼン−１，２−ジスルホン酸、ベンゼン−１，３−ジスルホン酸、ベンゼン−１，４−ジスルホン酸、ｐ−トルエンスルホン酸、キシレンスルホン酸、２，４，６−トリメチルベンゼンスルホン酸、シュウ酸、メタンスルホン酸、４−クロロベンゼンスルホン酸及びそれらの組合せからなる群から選択される、請求項２０記載の方法。
【請求項２４】
前記脂肪族ポリオールが、２，４−ペンタンジオール、２，３−ペンタンジオール、２−メチル−２，４−ペンタンジオール、２，４−ジメチル−２，４−ペンタンジオール及び２，４，４−トリメチル−２，３−ペンタンジオールからなる群から選択される、請求項２０記載の方法。
【請求項２５】
前記アルデヒドが、ホルムアルデヒド、アセトアルデヒド、プロピオンアルデヒド、ブチルアルデヒド、イソブチルアルデヒド、ｎ−バレルアルデヒド、ベンズアルデヒド、クロトンアルデヒド、桂皮アルデヒド、グリオキサール、グルタルアルデヒド、フルフラール、フェニルアセトアルデヒド、クロラール、クロロアセトアルデヒド、ジクロロアセトアルデヒド、ラウリルアルデヒド、パルミチルアルデヒド、ステアリルアルデヒド又はそれらの組合せである、請求項２０記載の方法。
【請求項２６】
前記フェノール化合物がレゾルシノールであり、かつ前記アルデヒドがホルムアルデヒドである、請求項２０記載の方法。
【請求項２７】
前記変性フェノールノボラック樹脂が５重量％未満の遊離レゾルシノール含量を有する、請求項２６記載の方法。
【請求項２８】
前記変性フェノールノボラック樹脂が約１００℃〜約１２０℃の軟化点を有する、請求項２６記載の方法。
【請求項２９】
前記フェノール化合物を、前記脂肪族ポリオール及び前記アルデヒドと同時に反応させる、請求項２０記載の方法。
【請求項３０】
前記フェノール化合物を、前記脂肪族ポリオール及び前記アルデヒドと逐次的に反応させる、請求項２０記載の方法。
【請求項３１】
前記フェノール化合物を、まず前記脂肪族ポリオールと反応させ、次いで前記アルデヒドと反応させる、請求項３０記載の方法。
【請求項３２】
前記フェノール化合物を、まず前記アルデヒドと反応させ、次いで前記脂肪族ポリオールと反応させる、請求項３０記載の方法。
【請求項３３】
非置換又は置換レゾルシノールを、酸触媒の存在下、脂肪族ポリオール及びアルデヒドと反応させることによって得られる、変性フェノールノボラック樹脂。
【請求項３４】
前記脂肪族ポリオールがジオールである、請求項１又は３３記載の変性フェノールノボラック樹脂。
【請求項３５】
前記フェノール化合物又はレゾルシノールと前記脂肪族ジオールのモル比が約１：０．３〜約１：１．５である、請求項３４記載の変性フェノールノボラック樹脂。
【請求項３６】
前記フェノール化合物又はレゾルシノールと前記脂肪族ジオールのモル比が約１：０．６５〜約１：０．８５である、請求項３４記載の変性フェノールノボラック樹脂。
【請求項３７】
前記ジオールがペンタンジオールである、請求項３４記載の変性フェノールノボラック樹脂。
【請求項３８】
前記アルデヒドがホルムアルデヒドである、請求項３７記載の変性フェノールノボラック樹脂。
【請求項３９】
前記レゾルシノールが非置換又は置換レゾルシノールである、請求項３８記載の変性フェノールノボラック樹脂。
【手続補正２】
【補正対象書類名】明細書
【補正対象項目名】００２３
【補正方法】変更
【補正の内容】
【００２３】
いくつかの実施形態では、変性フェノールノボラック樹脂を調製するのに使用できるフェノール化合物は以下の式（Ｉ）で表される：
【化２】
2008514761.tif 000003
（式中、Ｒ１、Ｒ２、Ｒ３、Ｒ４及びＲ５はＲ１〜５で表され、Ｒ１〜５のそれぞれは独立に、Ｈ、ヒドロキシル、チオール、アミド、ハロゲン、シアノ、ニトロ、アミノ、アシル、アルキル、ヘテロアルキル、シクロアルキル、ヘテロシクロアルキル、アリール、ヘテロアリール、アラルキル、アルケニル、アルキニル、アルコキシ、アリールオキシ、アシルオキシ、アシルアミノ、アルコキシカルボニル又は環の一部（Ｒ１、Ｒ２、Ｒ３、Ｒ４及びＲ５のうちの２つが一緒になって該環を形成する、但し、Ｒ１、Ｒ２、Ｒ３、Ｒ４及びＲ５のうちの少なくとも２つがＨであることを条件とする。）である。）。